(57)【要約】【課題】本来必要な数以上に識別スロット数が多く無駄に通信時間が長くなることを防止し、なるべく通信時間を短くして効率のよい通信を行う。【解決手段】複数の無線タグ回路素子Ｔoが配置されたタグテープ１０１を連続的に供給可能に収納したカートリッジ１００を着脱可能に設置し、カートリッジ１００に設けた被検出部１０３の識別子を検出するセンサ８と、無線タグ回路素子ＴoのタグＩＤを不確定な条件下で探索しつつ取得するための応答要求コマンドを生成する制御回路９と、応答要求コマンドを無線タグ回路素子Ｔoに送信可能な装置側アンテナ４及び高周波回路５と、送信された応答要求コマンドに応じて複数の無線タグ回路素子Ｔoから複数の識別スロットに区分して返信された応答信号を、該複数の識別スロットに対応して受信可能な装置側アンテナ４及び高周波回路５とを有し、識別スロットの数Ｍをセンサ８の検出結果に基づいて設定する。【選択図】図１
2007310664.tif 000002
【特許請求の範囲】
【請求項１】
情報を記憶するＩＣ回路部と情報の送受信を行うタグ側アンテナとを備えた複数の無線タグ回路素子が配置されたタグ媒体を連続的に供給可能に収納した無線タグ回路素子収納体を着脱可能に設置する収納体設置部と、
前記タグ媒体を搬送する搬送手段と、
前記収納体設置部に設置した前記無線タグ回路素子収納体に設けた被検出子を検出する検出手段と、
前記ＩＣ回路部の無線タグ情報を不確定な条件下で探索しつつ取得するための探索指令を生成する指令生成手段と、
この指令生成手段で生成した探索指令を前記無線タグ回路素子に送信可能な送信手段と、
前記指令生成手段で生成され前記送信手段から送信された前記探索指令に応じて前記複数の無線タグ回路素子から複数の識別スロットに区分して返信された応答信号を、該複数の識別スロットに対応して受信可能な受信手段と、
この受信手段の前記識別スロットの数を、前記検出手段の検出結果に基づいて設定するスロット数設定手段と
を有することを特徴とする無線タグ情報通信装置。
【請求項２】
請求項１記載の無線タグ情報通信装置において、
前記スロット数設定部は、前記検出手段の検出結果に基づき取得した前記タグ媒体の前記無線タグ回路素子に関するタグ属性情報に基づき、前記識別スロットの数を設定することを特徴とする無線タグ情報通信装置。
【請求項３】
請求項２記載の無線タグ情報通信装置において、
前記スロット数設定手段は、前記タグ属性情報として、前記タグ媒体としてのタグテープに配置された前記無線タグ回路素子の配置間隔に基づき、前記識別スロットの数を設定することを特徴とする無線タグ情報通信装置。
【請求項４】
請求項２記載の無線タグ情報通信装置において、
前記スロット数設定手段は、前記タグ属性情報として、各前記無線タグ回路素子の感度情報に基づき、前記識別スロットの数を設定することを特徴とする無線タグ情報通信装置。
【請求項５】
請求項１乃至４のいずれか１項記載の無線タグ情報通信装置において、
前記無線タグ回路素子収納体の識別情報とこれに対応する前記識別スロットの数との相関を記憶保持する相関記憶手段を有し、
前記スロット数設定手段は、前記検出手段の検出結果と、前記相関記憶手段の前記相関とに応じて、前記識別スロットの数を設定する
ことを特徴とする無線タグ情報通信装置。
【請求項６】
請求項１乃至５のいずれか１項記載の無線タグ情報通信装置において、
前記受信手段における前記応答信号の受信履歴情報を記憶保持する履歴記憶手段を有し、
前記スロット数設定手段は、前記検出手段の検出結果と、前記履歴記憶手段の前記受信履歴情報とに応じて、前記識別スロットの数を設定する
ことを特徴とする無線タグ情報通信装置。
【請求項７】
請求項１乃至６のいずれか１項記載の無線タグ情報通信装置において、
前記スロット数設定手段は、装置電源の投入時、又は、前記収納体設置部への前記無線タグ回路素子収納体の取り付けを検知した時に、前記識別スロットの数を設定することを特徴とする無線タグ情報通信装置。
【請求項８】
請求項１乃至７のいずれか１項記載の無線タグ情報通信装置において、
前記タグ媒体又はこれに貼り合わされる被印字媒体に所定の印字を行い、印字付き無線タグラベルを作成するための印字手段を有することを特徴とする無線タグ情報通信装置。
【請求項９】
請求項８記載の無線タグ情報通信装置において、
前記スロット数設定手段は、
前記無線タグラベルが順次作成完了されるのに対応して順次変化する残量関連情報に応じて、前記識別スロットの数を減少させることを特徴とする無線タグ情報通信装置。
【請求項１０】
請求項８記載の無線タグ情報通信装置において、
前記送信手段又は前記受信手段による無線通信が行われた後に前記搬送手段によって排出された前記タグ媒体を貯留する貯留手段を有し、
前記スロット数設定手段は、
前記無線タグラベルが順次作成完了されるのに対応して順次変化する残量関連情報に応じて、前記識別スロットの数を増大させることを特徴とする無線タグ情報通信装置。
【請求項１１】
情報を記憶するＩＣ回路部と情報の送受信を行うタグ側アンテナとを備えた複数の無線タグ回路素子が配置されたタグテープを、当該タグテープの長手方向と略直交する軸の周りに巻回して構成したタグテープロールであって、
前記無線タグ回路素子の通信対象である無線タグ情報通信装置からの探索指令に対して前記無線タグ回路素子から送信する応答信号が前記無線タグ情報通信装置の受信手段で受信されるとき、その受信手段に備えられる識別スロットの数を設定するためのスロット数設定用情報を保持した第１スロット情報保持部を有することを特徴とするタグテープロール。
【請求項１２】
情報を記憶するＩＣ回路部と情報の送受信を行うタグ側アンテナとを備えた複数の無線タグ回路素子が配置されたタグテープを、当該タグテープの長手方向と略直交する軸の周りに巻回して構成したタグテープロールを収納し、無線タグ情報通信装置のカートリッジホルダに着脱可能に構成された無線タグ回路素子カートリッジであって、
前記無線タグ情報通信装置からの探索指令に対して前記無線タグ回路素子から送信する応答信号が前記無線タグ情報通信装置の受信手段で受信されるとき、その受信手段に備えられる識別スロットの数を設定するためのスロット数設定用情報を保持した第２スロット情報保持部を有することを特徴とする無線タグ回路素子カートリッジ。
【請求項１３】
情報を記憶するＩＣ回路部と情報の送受信を行うタグ側アンテナとを備えた複数の無線タグ回路素子が配置されたタグ媒体を連続的に供給可能に収納した無線タグ回路素子収納体と、
この無線タグ回路素子を着脱可能に設置する収納体設置部と、前記タグ媒体を搬送する搬送手段と、前記収納体設置部に設置した前記無線タグ回路素子収納体に設けた被検出子を検出する検出手段と、前記ＩＣ回路部の無線タグ情報を不確定な条件下で探索しつつ取得するための探索指令を生成する指令生成手段と、この指令生成手段で生成した探索指令を前記無線タグ回路素子に送信可能な送信手段と、前記指令生成手段で生成され前記送信手段から送信された前記探索指令に応じて前記複数の無線タグ回路素子から送信された応答信号を、複数の識別スロットに区分して受信可能な受信手段と、この受信手段の前記識別スロットの数を、前記検出手段の検出結果に基づいて設定するスロット数設定手段とを有する無線タグ情報通信装置と
を有することを特徴とする無線タグ情報通信システム。
【発明の詳細な説明】
【技術分野】
【０００１】
本発明は、外部と情報の無線通信を行う無線タグ回路素子と無線通信を行う無線タグ情報通信装置、タグ媒体を巻回したタグテープロール、タグテープロールを備えた無線タグ回路素子カートリッジ、及び無線タグ情報通信システムに関する。
【背景技術】
【０００２】
小型の無線タグに対し、リーダ／ライタより非接触で問い合わせの送信及び返答の受信を行うことで、無線タグの情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
例えばラベル状の無線タグに備えられた無線タグ回路素子は、所定の無線タグ情報を記憶するＩＣ回路部とこのＩＣ回路部に接続されて情報（無線タグ情報）の送受信を行うアンテナとを備えている。無線タグ情報通信装置としてのリーダ／ライタの送信アンテナより無線タグに対し送信波の送信を行うと、無線タグ回路素子はその送信波の電波のもつエネルギを利用して返答の送信を行う。このような通信を行う無線タグ情報通信装置において、複数の無線タグ回路素子に対し円滑に通信を行うための従来技術として、例えば特許文献１記載のものがある。
【０００４】
この従来技術では、通信範囲にある複数の無線タグ回路素子に応答を促す際、複数個に分割された受信用の時間区分（識別スロット）を予め用意しておき、複数の無線タグ回路素子それぞれからの応答信号を、所定の関連づけに応じて（例えばタグ識別情報に対応した）該当する識別スロットへと時間的に分離しつつ収納し検出することで、各無線タグ回路素子からの応答信号の衝突発生を抑制又は防止するようになっている。
【０００５】
【特許文献１】特開２００４−２４８３１０号公報
【発明の開示】
【発明が解決しようとする課題】
【０００６】
しかしながら、上記従来技術においては、予め用意する識別スロットの数が常に一定であるため、通信対象となる無線タグ回路素子の数が多い場合には同一識別スロットで応答する無線回路素子が複数となる場合があるので衝突が発生する恐れがある一方、通信対象となる無線タグ回路素子の数が少ない場合には使用されない空きスロット数が多くなり、無駄に通信時間が長くなる。また、識別スロットの数を変化させることのできる無線タグ回路素子について提案がされている。しかしながら、無線タグ回路素子との衝突などの通信の状況に応じて変化させるので複数の無線タグ回路素子が存在しても最終的には全ての無線タグ回路素子と通信ができるが長い通信時間を必要とする。この結果、効率のよい通信を行うことができなかった。
【０００７】
本発明の目的は、無駄な通信時間の発生を防止し、効率のよい通信を行える無線タグ情報通信装置、タグテープロール、無線タグ回路素子カートリッジ、及び無線タグ情報通信システムを提供することにある。
【課題を解決するための手段】
【０００８】
上記目的を達成するために、第１の発明は、情報を記憶するＩＣ回路部と情報の送受信を行うタグ側アンテナとを備えた複数の無線タグ回路素子が配置されたタグ媒体を連続的に供給可能に収納した無線タグ回路素子収納体を着脱可能に設置する収納体設置部と、前記タグ媒体を搬送する搬送手段と、前記収納体設置部に設置した前記無線タグ回路素子収納体に設けた被検出子を検出する検出手段と、前記ＩＣ回路部の無線タグ情報を不確定な条件下で探索しつつ取得するための探索指令を生成する指令生成手段と、この指令生成手段で生成した探索指令を前記無線タグ回路素子に送信可能な送信手段と、前記指令生成手段で生成され前記送信手段から送信された前記探索指令に応じて前記複数の無線タグ回路素子から複数の識別スロットに区分して返信された応答信号を、該複数の識別スロットに対応して受信可能な受信手段と、この受信手段の前記識別スロットの数を、前記検出手段の検出結果に基づいて設定するスロット数設定手段とを有することを特徴とする。
【０００９】
本願第１発明においては、指令生成手段で生成された探索指令が送信手段よりタグ媒体に備えられた複数の無線タグ回路素子に送信され、これに対応した複数の無線タグ回路素子からの応答信号が受信手段で受信される。このとき、複数の識別スロット（識別スロットは返信する時間単位であり、異なる識別スロットにより時間差を持って複数の無線タグが応答できる）が用意され、送信手段は無線タグ回路素子が応答できる識別スロットの数を設定して送信する。無線タグ回路素子は乱数により該スロット数の中で応答する識別スロットを決定してその識別スロットのタイミングで応答する。受信手段は複数の無線タグ回路素子からの応答信号を時間差をもって複数の識別スロットに区分して受信する。そして本願第１発明においては、スロット数設定手段により、この識別スロットの数が、無線タグ回路素子収納体の被検出子の検出結果に応じて可変に設定される。これにより、通信対象となりうる無線タグ回路素子の数が多くなるような無線タグ回路素子収納体である場合（通信範囲に多くの無線タグが存在する場合）には識別スロット数を多く設定する一方、通信対象とする無線タグ回路素子の数が少なくなるような無線タグ回路素子収納体である場合（通信範囲に少ない無線タグが存在する場合）には識別スロット数を少なく設定することが可能となる。したがって、本来必要な数以上に識別スロット数が多く無駄に通信時間が長くなることを防止し、通信時間を必要最小限として効率のよい通信を行うことができる。
【００１０】
第２発明は、上記第１発明において、前記スロット数設定部は、前記検出手段の検出結果に基づき取得した前記タグ媒体の前記無線タグ回路素子に関するタグ属性情報に基づき、前記識別スロットの数を設定することを特徴とする。
【００１１】
これにより、例えば、無線タグ回路素子のタグ媒体における配置間隔、無線タグ回路素子の感度、タグ媒体の幅方向における無線タグ回路素子の配置個数等のタグ属性情報に応じ、通信対象とする無線タグ回路素子の数が多くなる属性の場合には識別スロット数を多く設定する一方、通信対象とする無線タグ回路素子の数が少なくなるような属性の場合には識別スロット数を少なく設定し、効率のよい通信を行うことが可能となる。
【００１２】
第３発明は、上記第２発明において、前記スロット数設定手段は、前記タグ属性情報として、前記タグ媒体としてのタグテープに配置された前記無線タグ回路素子の配置間隔に基づき、前記識別スロットの数を設定することを特徴とする。
【００１３】
これにより、無線タグ回路素子の配置間隔が大きい場合には通信対象となりうる無線タグ回路素子の数が少なくなることから識別スロットの数を少なく設定し、無線タグ回路素子の配置間隔が小さい場合には通信対象となりうる無線タグ回路素子の数が多くなることから識別スロットの数を多く設定して、効率のよい通信を行うことが可能となる。
【００１４】
第４発明は、上記第２発明において、前記スロット数設定手段は、前記タグ属性情報として、各前記無線タグ回路素子の感度情報に基づき、前記識別スロットの数を設定することを特徴とする。
【００１５】
これにより、無線タグ回路素子の感度が低い場合には通信対象となりうる無線タグ回路素子の数が少なくなることから識別スロットの数を少なく設定し、無線タグ回路素子の感度が高い場合には通信対象となりうる無線タグ回路素子の数が多くなることから識別スロットの数を多く設定して、効率のよい通信を行うことが可能となる。
【００１６】
第５発明は、上記第１乃至第４発明のいずれかにおいて、前記無線タグ回路素子収納体の識別情報とこれに対応する前記識別スロットの数との相関を記憶保持する相関記憶手段を有し、前記スロット数設定手段は、前記検出手段の検出結果と、前記相関記憶手段の前記相関とに応じて、前記識別スロットの数を設定する
ことを特徴とする。
【００１７】
これにより、無線タグ回路素子収納体の種類や個体ごとに、予め最適な識別スロットの数を相関として相関記憶手段に保持しておき、無線タグ回路素子収納体を収納体設置部に設置したときに相関記憶手段から当該無線タグ回路素子収納体に対応した識別スロット数を読み出してその識別スロット数となるようにスロット数設定手段で設定できる。この結果、多種多様な無線タグ回路素子収納体を用いる場合であっても、これに応じて、確実に各無線タグ回路素子収納体の無線タグ回路素子に対して効率のよい通信を行うことができる。
【００１８】
第６発明は、上記第１乃至第５発明のいずれかにおいて、前記受信手段における前記応答信号の受信履歴情報を記憶保持する履歴記憶手段を有し、前記スロット数設定手段は、前記検出手段の検出結果と、前記履歴記憶手段の前記受信履歴情報とに応じて、前記識別スロットの数を設定することを特徴とする。
【００１９】
履歴記憶手段に記憶された過去の応答信号の受信履歴情報に応じて識別スロットの数を設定することにより、例えば装置内部の通信結果や無線タグラベル作成状況とは関係なく装置の外部環境要因が応答信号の数に影響を与えているような場合、その影響を受信履歴情報より予め把握し、これを加味した識別スロット数の設定を行うことが可能となる。この結果、このような受信履歴情報を参照しない場合に比べ、無線タグ回路素子からの応答信号の衝突（混信）を避けることができる。
【００２０】
第７発明は、上記第１乃至第６発明のいずれかにおいて、前記スロット数設定手段は、装置電源の投入時、又は、前記収納体設置部への前記無線タグ回路素子収納体の取り付け時（取り付け検知時を含む）に、前記識別スロットの数を設定することを特徴とする。
【００２１】
これにより、操作者が作業を開始しようとして装置の電源を投入する都度、又は、無線タグ回路素子収納体を新たに取り付けたり交換したりした都度、これに応じた適正な識別スロット数を確実に設定し、効率的な通信の実現を図ることができる。
【００２２】
第８発明は、上記第１乃至第７発明のいずれかにおいて、前記タグ媒体又はこれに貼り合わされる被印字媒体に所定の印字を行い、印字付き無線タグラベルを作成するための印字手段を有することを特徴とする。
【００２３】
これにより、送信手段及び受信手段により情報送受信を行った無線タグ回路素子を備えるとともに所定の印字を備えた無線タグラベルを短時間に作成することができる。
【００２４】
第９発明は、上記第８発明において、前記スロット数設定手段は、前記無線タグラベルが順次作成完了されるのに対応して順次変化する残量関連情報に応じて、前記識別スロットの数を減少させることを特徴とする。
【００２５】
無線タグラベルを順次作成して無線タグ回路素子収納体に残存する無線タグ回路素子の数が減った場合、通信対象となりうる無線タグ回路素子が少なくなることから、これに応じて識別スロットの数を少なく設定することにより、さらに効率のよい通信を行うことができる。
【００２６】
第１０発明は、上記第８発明において、前記送信手段又は前記受信手段による無線通信が行われた後に前記搬送手段によって排出された前記タグ媒体を貯留する貯留手段を有し、前記スロット数設定手段は、前記無線タグラベルが順次作成完了されるのに対応して順次変化する残量関連情報に応じて、前記識別スロットの数を増大させることを特徴とする。
【００２７】
無線タグラベルが順次作成されて貯留手段に順次貯留される場合、その貯留された状態において通信対象となりうる無線タグ回路素子が多くなることから、これに応じて識別スロットの数を多く設定することにより、無線タグ回路素子からの応答信号の衝突（混信）を避けることができる。
【００２８】
上記目的を達成するために、第１１発明は、情報を記憶するＩＣ回路部と情報の送受信を行うタグ側アンテナとを備えた複数の無線タグ回路素子が配置されたタグテープを、当該タグテープの長手方向と略直交する軸の周りに巻回して構成したタグテープロールであって、前記無線タグ回路素子の通信対象である無線タグ情報通信装置からの探索指令に対して前記無線タグ回路素子から送信する応答信号が前記無線タグ情報通信装置の受信手段で受信されるとき、その受信手段に備えられる識別スロットの数を設定するためのスロット数設定用情報を保持した第１スロット情報保持部を有することを特徴とする。
【００２９】
本願第１１発明のタグテープロールにおいては、第１スロット情報保持部に、識別スロットの数を設定するためのスロット数設定用情報が保持されている。これにより、このタグテープロールを装着した無線タグ情報通信装置は、探索指令を送信しこれに対応した複数の無線タグ回路素子からの応答信号を受信手段で複数の識別スロットに区分して受信するとき、その識別スロットの数を、上記スロット数設定用情報に応じて可変に設定することが可能となる。この結果、通信対象とする無線タグ回路素子の数が多くなるようなタグテープロールである場合には識別スロット数を多くする一方、通信対象とする無線タグ回路素子の数が少なくなるようなタグテープロールである場合には識別スロット数を少なく設定することが可能となるので、本来必要な数以上に識別スロット数が多く無駄に通信時間が長くなることを防止し、通信時間を短くして効率のよい通信を行うことができる。
【００３０】
上記目的を達成するために、第１２発明は、情報を記憶するＩＣ回路部と情報の送受信を行うタグ側アンテナとを備えた複数の無線タグ回路素子が配置されたタグテープを、当該タグテープの長手方向と略直交する軸の周りに巻回して構成したタグテープロールを収納し、無線タグ情報通信装置のカートリッジホルダに着脱可能に構成された無線タグ回路素子カートリッジであって、前記無線タグ情報通信装置からの探索指令に対して前記無線タグ回路素子から送信する応答信号が前記無線タグ情報通信装置の受信手段で受信されるとき、その受信手段に備えられる識別スロットの数を設定するためのスロット数設定用情報を保持した第２スロット情報保持部を有することを特徴とする。
【００３１】
本願第１２発明の無線タグ回路素子カートリッジにおいては、第２スロット情報保持部に、識別スロットの数を設定するためのスロット数設定用情報が保持されている。これにより、この無線タグ回路素子カートリッジを装着した無線タグ情報通信装置は、探索指令を送信しこれに対応した複数の無線タグ回路素子からの応答信号を受信手段で複数の識別スロットに区分して受信するとき、その識別スロットの数を、上記スロット数設定用情報に応じて可変に設定することが可能となる。この結果、通信対象とする無線タグ回路素子の数が多くなるような無線タグ回路素子カートリッジである場合には識別スロット数を多くする一方、通信対象とする無線タグ回路素子の数が少なくなるような無線タグ回路素子カートリッジである場合には識別スロット数を少なくすることが可能となるので、本来必要な数以上に識別スロット数が多く無駄に通信時間が長くなることを防止し、なるべく通信時間を短くして効率のよい通信を行うことができる。
【００３２】
上記目的を達成するために、第１３発明は、情報を記憶するＩＣ回路部と情報の送受信を行うタグ側アンテナとを備えた複数の無線タグ回路素子が配置されたタグ媒体を連続的に供給可能に収納した無線タグ回路素子収納体と、この無線タグ回路素子を着脱可能に設置する収納体設置部と、前記タグ媒体を搬送する搬送手段と、前記収納体設置部に設置した前記無線タグ回路素子収納体に設けた被検出子を検出する検出手段と、前記ＩＣ回路部の無線タグ情報を不確定な条件下で探索しつつ取得するための探索指令を生成する指令生成手段と、この指令生成手段で生成した探索指令を前記無線タグ回路素子に送信可能な送信手段と、前記指令生成手段で生成され前記送信手段から送信された前記探索指令に応じて前記複数の無線タグ回路素子から送信された応答信号を、複数の識別スロットに区分して受信可能な受信手段と、この受信手段の前記識別スロットの数を、前記検出手段の検出結果に基づいて設定するスロット数設定手段とを有する無線タグ情報通信装置とを有することを特徴とする。
【００３３】
本願第１３発明においては、無線タグ情報通信装置の指令生成手段で生成された探索指令が、送信手段より、収納体設置部に設けた無線タグ回路素子収納体のタグ媒体に備えられた複数の無線タグ回路素子に送信され、これに対応した複数の無線タグ回路素子からの応答信号が受信手段で受信される。このとき、複数の識別スロットが備えられ、受信手段は複数の無線タグ回路素子からの応答信号を（例えば時間差をもって）複数の識別スロットに区分して受信する。そして本願第１３発明においては、スロット数設定手段により、この識別スロットの数が、無線タグ回路素子収納体の被検出子の検出結果に応じて可変に設定される。これにより、通信対象とする無線タグ回路素子の数が多くなるような無線タグ回路素子収納体である場合には識別スロット数を多くする一方、通信対象とする無線タグ回路素子の数が少なくなるような無線タグ回路素子収納体である場合には識別スロット数を少なくすることが可能となる。したがって、本来必要な数以上に識別スロット数が多く無駄に通信時間が長くなることを防止し、なるべく通信時間を短くして効率のよい通信を行うことができる。
【発明の効果】
【００３４】
本発明によれば、本来必要な数以上に識別スロット数が多く無駄に通信時間が長くなることを防止し、通信時間を短くして効率のよい通信を行うことができる。
【発明を実施するための最良の形態】
【００３５】
以下、本発明の一実施の形態を図面を参照しつつ説明する。
【００３６】
図１は、本実施形態の無線タグ情報通信装置としてのタグラベル作成装置１の概略構造を表す概念的構成図である。この図１において、このタグラベル作成装置１は、後述する無線タグ回路素子Ｔoを所定間隔で備えたタグテープ（タグ媒体）１０１をタグテープロール１０２（本来は渦巻状であるが図示では簡易的に同心円状で示している）に巻回してこのタグテープ１０１を連続的に供給するカートリッジ（無線タグ回路素子収納体、無線タグ回路素子カートリッジ）１００を着脱可能なカートリッジホルダ（収納体設置部）２と、このタグテープロール１０２から繰り出されたタグテープ１０１（又はこのタグテープ１０１に貼り合わされる図示しない被印字媒体でもよい）のうち各無線タグ回路素子Ｔoに対応した所定領域に所定の印字を行う印字ヘッド（印字手段）３と、無線タグ回路素子Ｔoとの間で無線通信により情報の送受信を行うための装置側アンテナ４及び高周波回路５と、タグテープ１０１への印字及び無線タグ回路素子Ｔoへの上記情報送受信により情報読み取り又は書き込みが終了したタグテープ１０１を所定の長さに切断して無線タグラベル（印字付き無線タグラベル）Ｔとするカッタ６と、印字ヘッド３に対向して設けられ、タグテープ１０１を搬送する搬送装置（搬送手段）７と、カートリッジ１００に設けた被検出部１０３（被検出子、第２スロット情報保持部；詳細は後述）に備えられた複数の識別子のそれぞれの凹凸形状を検出するセンサ（検出手段）８と、上記印字ヘッド３、高周波回路５、カッタ６、搬送装置７等を介し、タグラベル作成装置１全体の動作を制御するための制御回路９とを有する。図示及び詳細な説明を省略するが、タグラベル作成装置１は適切なインターフェースによりパソコン等と接続されて適切なアプリケーションにより指令を受けて印字付き無線タグラベルＴを作成するようにしてもよい。
【００３７】
制御回路９は、内部に備えたＲＡＭの一時記憶機能を利用しつつ内部のＲＯＭに予め記憶されたプログラムに従って信号処理を行い、それによってセンサ８の検出処理や無線タグ回路素子Ｔoとの無線通信などを行い、また無線タグラベルＴを作成する処理を行うようになっている。
【００３８】
装置側アンテナ４は、ダイポールアンテナや平面アンテナなどのように上記タグテープ１０１に備えられた複数の無線タグ回路素子Ｔoに対して無線通信により情報の送受が可能なものである。そして、本実施形態のこの例において、装置側アンテナ４の無線通信可能なアクセスエリアＡ１は、図示しないタグラベル作成装置１の各機器・構成要素やタグテープ搬送路の実際の形状・配置位置関係やシールド部材の有無や装置側アンテナ４の向き等の状態に基づき、タグラベル作成装置１の内部でカートリッジ１００から繰り出された後のタグテープ１０１の搬送経路を包含する範囲で形成されるようになっている（図１中には破線で概念的に表示）。アクセスエリアＡ１は作成する無線タグラベルＴの全ての種類の無線タグ回路素子Ｔoと確実に通信ができるように設定されている。
【００３９】
無線タグ回路素子Ｔoは、この例では情報の送受信を行うダイポールアンテナで（その他ループコイル等でもよい）構成されるタグ側アンテナ１５１が一体的に設けられており、これに情報を記憶するＩＣ回路部１５０が接続されている。
【００４０】
図２は、上記タグラベル作成装置１における制御回路９、高周波回路５、及び装置側アンテナ４の詳細構成を表す機能ブロック図である。この図２において、タグラベル作成装置１の高周波回路５は、上記装置側アンテナ４を介し上記無線タグ回路素子ＴoのＩＣ回路部１５０の情報(タグＩＤを含む無線タグ情報)へアクセスするものであり、またタグラベル作成装置１の制御回路９は無線タグ回路素子ＴoのＩＣ回路部１５０から読み出された信号を処理して情報を読み出すとともに無線タグ回路素子ＴoのＩＣ回路部１５０へアクセスするためのアクセス情報を生成するものである。
【００４１】
高周波回路５は、装置側アンテナ４を介し無線タグ回路素子Ｔoに対して信号を送信する送信部２１２と、装置側アンテナ４により受信された無線タグ回路素子Ｔoからの反射波を入力する受信部２１３と、送受分離器２１４とから構成される。
【００４２】
送信部２１２は、無線タグ回路素子ＴoのＩＣ回路部１５０の無線タグ情報にアクセスする(この例では読み取り又は書き込み)ための搬送波を発生させる水晶振動子２１５Ａ、制御回路９の制御により所定の周波数の信号を発生させるＰＬＬ（Phase Locked Loop）２１５Ｂ、及びＶＣＯ（Voltage Controlled Oscillator）２１５Ｃと、上記制御回路９から供給される信号に基づいて上記発生させられた搬送波を変調（この例では制御回路９からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路９からの「ＴＸ＿ＰＷＲ」信号によって増幅率を決定される増幅）する可変送信アンプ２１７とを備えている。そして、上記発生される搬送波は、例えばＵＨＦ帯、マイクロ波帯、あるいは短波帯の周波数を用いており、上記送信アンプ２１７の出力は、送受分離器２１４を介し装置側アンテナ４に伝達されて無線タグ回路素子ＴoのＩＣ回路部１５０に供給される。なお、無線タグ情報は上記のように変調した信号に限られず、単なる搬送波のみの場合もある。
【００４３】
受信部２１３は、装置側アンテナ４で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記装置側アンテナ４で受信された無線タグ回路素子Ｔoからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路９に入力されて処理される。
【００４４】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路９に入力されるようになっている。このようにして、本実施形態では、Ｉ−Ｑ直交復調によって無線タグ回路素子Ｔoからの反射波の復調が行われる。
【００４５】
そして、上記タグラベル作成装置１は、無線タグラベルＴを作成する前に上記装置側アンテナ４のアクセスエリアＡ１（図１参照）に存在する複数の無線タグ回路素子Ｔoに対してそれぞれの識別情報（無線タグ情報；以下、タグＩＤという）を応答信号として発信させるよう要求する応答要求コマンド（探索指令）を送信する。なおこの応答要求コマンドは、応答すると予想される無線タグ回路素子Ｔoの数が不確定な条件下において探索を行うための探索指令である。この応答要求コマンドには、例えばこの例で０から１５までのいずれかの値で指定するスロット数指定値Ｑが含まれており、高周波回路５からアンテナ４を介し応答要求コマンドが送信されると各無線タグ回路素子Ｔoは０から２Ｑ−１（＝２のＱ乗−１）までのスロットカウント値Ｓを乱数により生成保持する。
【００４６】
また制御回路９及び高周波回路５がアンテナ４を介して該コマンドを送信後、所定の識別スロットで無線タグ回路素子Ｔoからの応答を待ち受ける。無線タグ回路素子Ｔoでスロットカウント値Ｓとして値０を生成したものはこのスロットで応答する。
【００４７】
その後、さらに制御回路９及び高周波回路５はスロットカウント減算コマンドを送信し、直後に設けられた所定の識別スロット時間枠で無線タグ回路素子Ｔoの応答を待つのである。スロットカウント減算コマンドを受信した各無線タグ回路素子Ｔoは自身のスロットカウント値Ｓを減算し保持し、該スロットカウント値Ｓが値０になった時点の識別スロットタグＩＤを含む応答信号を送信するのである。
【００４８】
このように各無線タグ回路素子Ｔoが異なる識別スロットでにより応答信号を返信することで、アンテナ４を介し、高周波回路５及び制御回路９は混信を受けることなく一つ一つ一つの無線タグ回路素子ＴoのタグＩＤを明確に受信し取り込むことができる（詳細は後述する）。
【００４９】
図３は、上記センサ８の構成の一例を表す説明図である。
【００５０】
図３において、センサ８は、この例では、凹凸形状を備えた被検出部１０３の識別子１０３Ａ〜Ｄに対しバネ部材８Ａで接点８Ｂを付勢当接させることで凹凸形状を検出するメカニカルスイッチであり、各凹凸部に対応して配置された接点８Ｂより制御回路９へ検出信号を出力するようになっている。
【００５１】
これら識別子１０３Ａ〜Ｄは、上記凹凸の有無によって、カートリッジ１００内の上記無線タグ回路素子Ｔoに関するタグ属性パラメータ（スロット制御用情報；タグテープ１０１内における無線タグ回路素子Ｔoの配置位置や性能を表すタグ属性情報。例えばタグテープ１０１の長手方向に対する無線タグ回路素子Ｔoの配置間隔に関する情報等を含む）に関するパラメータデータを表している。なお、通常、１つのカートリッジ１００内に備えられるすべての無線タグ回路素子Ｔoについて、上記タグ属性パラメータはすべて同一（共通）となっている。そして制御回路９は、これら識別子１０３Ａ〜Ｄの凹凸状態を示す接点８Ｂの検出信号からカートリッジ１００における上記パラメータデータを知ることができる。
【００５２】
なお、上記の検出手段としてのセンサ８は、メカニカルスイッチに限られず、他の方式、例えば光の反射を利用したセンサであってもよい。この場合、例えば制御回路９からの信号により発光する発光ダイオードと、その発光の各識別子における反射光を受光し対応する検出信号を制御回路９に出力するフォトトランジスタとを備えて構成することができる。また、さらに発展した光学センサとして、各種バーコード（１次元、２次元なども含む）やマーク等をカートリッジ１００やタグテープ１０１の剥離紙表面（第１スロット情報保持部）に記載し、タグラベル作成装置１の装置本体に設けた読み取り装置で読み込む構成も可能である。さらにまた、カートリッジ１００に上記パラメータデータを記憶させた無線タグ回路素子を備えておき、タグラベル作成装置１の装置本体に設けたアンテナでアクセス（読み込みや書き込み）する構成も可能である。
【００５３】
このように、カートリッジ１００に収納されている無線タグ回路素子Ｔoに関するパラメータデータをカートリッジ１００自体から取得可能にしていることで、そのための操作者による入力の手間が不要となり、かつ確実にパラメータデータを取得することができる。
【００５４】
なお、タグ属性パラメータとしては、上記した無線タグ回路素子Ｔoを貼り付けるタグテープ１０１の長手方向に対する無線タグ回路素子Ｔoの配置間隔以外にも、タグテープ１０１の幅方向における無線タグ回路素子Ｔoの配置個数、及び各無線タグ回路素子Ｔoの感度情報（後述するタグ側アンテナ１５１の感度又は増幅利得など）等のデータも含まれうる。
【００５５】
図４は、上記無線タグラベルＴに備えられた無線タグ回路素子Ｔoの機能的構成の一例を表すブロック図である。
【００５６】
図４において、無線タグ回路素子Ｔoは、上記タグラベル作成装置１側の上記装置側アンテナ４と短波帯(例えば13.56MHz)、ＵＨＦ帯、マイクロ波帯等の高周波を用いて非接触で信号の送受信を行うタグ側アンテナ１５１と、このタグ側アンテナ１５１に接続された上記ＩＣ回路部１５０とを有している。
【００５７】
ＩＣ回路部１５０は、タグ側アンテナ１５１により受信された搬送波を整流する整流部１５２と、この整流部１５２により整流された搬送波のエネルギを蓄積し駆動電源とするための電源部１５３と、上記タグ側アンテナ１５１により受信された搬送波からクロック信号を抽出して制御部１５７に供給するクロック抽出部１５４と、無線タグラベルＴのタグＩＤなどの所定の情報信号を記憶し得る情報記憶部として機能するメモリ部１５５と、上記タグ側アンテナ１５１に接続されて信号の変調及び復調を行う変復調部１５６と、上記タグラベル作成装置１からの上記応答要求コマンドの受信時に当該無線タグ回路素子Ｔoが応答信号（リプライ信号）をどの識別スロットに出力するかを決定するための乱数を発生させる乱数発生器１５８（詳細は後述）と、上記整流部１５２、クロック抽出部１５４、変復調部１５６、及び乱数発生器１５８等を介して上記無線タグ回路素子Ｔoの作動を制御するための制御部１５７とを備えている。
【００５８】
変復調部１５６は、タグ側アンテナ１５１により受信された上記タグラベル作成装置１の装置側アンテナ４からの通信信号の復調を行うと共に、上記制御部１５７からの返信信号に基づき、装置側アンテナ４より受信された搬送波を反射変調する。
【００５９】
乱数発生器１５８は、上記タグラベル作成装置１からの上記応答要求コマンドに指定されているスロット数指定値Ｑに対し、０から２Ｑ−１までの乱数を発生させる。
【００６０】
制御部１５７は、タグラベル作成装置１と通信を行うことにより上記メモリ部１５５に上記所定の情報を記憶する制御や、上記タグ側アンテナ１５１により受信された質問波を上記変復調部１５６において上記メモリ部１５５に記憶された情報信号に基づいて変調したうえで応答波とし、これを上記乱数発生器１５８により発生させた乱数に対応する識別スロットで上記タグ側アンテナ１５１から応答波を反射返信する制御等の基本的な制御を実行する。
【００６１】
クロック抽出部１５４は受信した信号からクロック成分を抽出して制御部１５７にクロックを抽出するものであり、受信した信号のクロック成分の速度に対応したクロックを制御部１５７に供給する。
【００６２】
なお、メモリ部１５５には少なくとも各無線タグ回路素子Ｔoを個別に識別するためのタグＩＤが予め記憶されており、これらタグＩＤについては、タグテープ１０１の長手方向で引き出し側の先端から所定順序にて（例えば順番に大きくなるように）ＩＤ番号が各無線タグ回路素子Ｔoを識別するための番号として記憶されている。
【００６３】
ここで、本実施形態のタグラベル作成装置１の最も大きな特徴は、上記通信対象となる無線タグ回路素子Ｔoの個数に関係するタグ属性パラメータを予めカートリッジ１００の被検出部１０３の識別子１０３Ａ〜Ｄから検出しておき、その検出結果に基づいてスロット数Ｍ（＝２Ｑ−１）を適切に設定することにある。以下、その詳細を順次説明する。
【００６４】
図５は、タグラベル作成装置１の制御回路９によって実行される制御手順を表すフローチャートである。図５において、この例では装置電源の投入後又はカートリッジ１００の新規装着後又は交換後に例えば図示しない操作部において無線タグラベルＴの作成を開始させる操作が行われると、このフローが開始される。
【００６５】
まず、ステップＳ５において、センサ８によりカートリッジ１００の被検出部１０３の識別子１０３Ａ〜Ｄからカートリッジ１００内に備えられているタグテープ１０１の無線タグ回路素子Ｔoに関するタグ属性パラメータを検出し、その検出信号を入力する。本実施形態の例では、このタグ属性パラメータからタグテープ１０１の長手方向に対する無線タグ回路素子Ｔoの配置間隔、タグテープ１０１の幅方向における無線タグ回路素子Ｔoの配置個数、各無線タグ回路素子Ｔoの感度情報が検出される。
【００６６】
次にステップＳ１０へ移り、上記ステップＳ５で入力したタグ属性パラメータに基づいて識別スロットの数Ｍを設定する。この際、タグ属性パラメータのうち、タグテープ１０１の長手方向に対する無線タグ回路素子Ｔoの配置間隔が狭いほど装置側アンテナ４のアクセスエリアＡ１内に通信対象となる無線タグ回路素子Ｔoが多く存在することになる。
【００６７】
そしてこのように通信対象となる無線タグ回路素子Ｔoの数に応じて、識別スロット数Ｍも適切に設定させる必要がある。つまり、通信対象の無線タグ回路素子Ｔoの数に対して識別スロット数Ｍが少なすぎる場合には、複数の無線タグ回路素子Ｔoが同一の識別スロットを選択（上述したように乱数により選択）して応答信号を衝突（混信）させる可能性が高くなり、通信の安定性を低下させてしまう。また、逆に識別スロット数Ｍが多すぎる場合には、一つの応答要求コマンドを処理する時間が無意味に長くなってしまい通信の効率を低下させてしまう。これに対して本実施形態では、タグ属性パラメータの一つである無線タグ回路素子Ｔoの配置間隔に応じて識別スロット数Ｍを適切に変化させて設定する。
【００６８】
なお、タグテープ１０１の幅方向における無線タグ回路素子Ｔoの配置個数についても、通常の場合は幅方向中央に一つだけ配置されるが、タグテープ１０１の種類によっては幅方向に複数個設置される場合もあり、そのようにテープ幅方向における配置個数に応じて識別スロットの数Ｍも増減するよう設定してもよい。さらに、各無線タグ回路素子Ｔoの感度（アンテナ１５１の利得やＩＣ回路部１５０自体の感度又はメモリ容量を含む）については、その感度が高いほど装置側アンテナ４からより離れた位置でも無線通信が可能であることから実質的に装置側アンテナ４のアクセスエリアＡ１が拡張されることになり、通信対象となる無線タグ回路素子Ｔoの個数が増えることになる。すなわち、無線タグ回路素子Ｔoの感度が高いほど、それに応じて識別スロットの数Ｍも増加するよう設定する。以上のようにして、タグ属性パラメータに基づいて期待される通信対象の無線タグ回路素子Ｔoの個数を想定し、それに対応する適切な識別スロット数Ｍを設定する。
【００６９】
次にステップＳ１００へ移り、装置側アンテナ４のアクセスエリアＡ１内に存在する通信対象の複数の無線タグ回路素子Ｔoに応答要求コマンドを送信し、各無線タグ回路素子ＴoのタグＩＤを取得する探索処理を行う（詳細は後述の図６参照）。
【００７０】
次にステップＳ１５へ移り、上記ステップＳ１００の探索処理で取得した複数のタグＩＤのうち次に完成させるべき無線タグラベルＴに備えられる無線タグ回路素子Ｔo（本実施例では前述のように通信範囲Ａ１に位置するもののうちテープ先端側に位置する最もタグＩＤが若い番号であるもの）に対し記録すべき情報を生成する。なお、このとき同じ無線タグラベルＴの表面に印字する印字情報もタグＩＤに対応して異なる内容であれば併せて生成する。
【００７１】
次にステップＳ２０へ移り、印字ヘッド３に制御信号を出力してタグテープ１０１の表面の所定領域に上記印字情報を印字させ、そして装置側アンテナ４に最も近い無線タグ回路素子Ｔoに対しそのタグＩＤで特定しつつ上記ステップＳ１５で生成した情報を「Program」信号などによって書き込む。
【００７２】
次にステップＳ２５へ移り、カッタ６によりタグテープ１０１を切断して１つの無線タグ回路素子Ｔoを備えた無線タグラベルＴを作成し、次のステップＳ３０へ移る。
【００７３】
ステップＳ３０では、特に図示しない操作部などから無線タグラベルＴの作成を終了するよう指示する操作がなされたか否かを判定する。終了指示がなされている場合には、判定が満たされ、このフローを終了する。一方、終了指示がなされていない場合には、判定が満たされず、ステップＳ１００へ戻り同様の手順を繰り返して無線タグラベルＴの作成を続行する。
【００７４】
図６は、上記図５中のステップＳ１００において実行される探索処理の詳細手順を表すフローチャートである。
【００７５】
この図６において、まずステップＳ１０５において、高周波回路５の送信部２１２の送信乗算回路２１６に制御信号を出力して、上記図５中のステップ１０で設定された識別スロット数Ｍに対応するスロット数指定値Ｑ（本実施形態ではスロット数２５４の場合は値８を、スロット数１５の場合は４を）を含み、通信対象の各無線タグ回路素子ＴoにそれぞれのタグＩＤを応答信号として送信するよう命令する応答要求コマンドを生成し（＝ＩＣ回路部の無線タグ情報を不確定な条件下で探索しつつ取得するための探索指令を生成する指令生成手段に相当）、生成された応答要求コマンド信号をアンテナ４を介し無線タグ回路素子Ｔoへ送信する。
【００７６】
次にステップＳ１１０へ移り、高周波回路５の受信部２１３で無線タグ回路素子Ｔoからの応答信号を１スロット分の時間（所定の識別スロットの時間枠）だけ受信して取り込む。スロットカウントＳが値０になった無線タグ回路素子Ｔoがなく、応答信号が受信されない場合でも１スロット分の時間は受信状態を維持する。これらステップＳ１０５とステップＳ１１０の手順で、識別スロット１つ分の送受信制御が行われることになる。
【００７７】
次にステップＳ１１５へ移り、通信の最初に上記ステップＳ１０５で応答要求コマンドで通知したスロット数指定値Ｑに対応した回数（２のＱ乗−１回）の識別スロットの受信を行ったかにより全ての識別スロットに対して受信制御を行ったか否かを判定する。まだ全ての識別スロットに対して受信制御を行っていない場合、判定が満たされず、すなわちまだ受信制御を行っていない識別スロットが残っているとみなされてステップ１２０に移る。
【００７８】
ステップＳ１２０では、高周波回路５の送信部２１２の送信乗算回路２１６に制御信号を出力して、スロットカウント減算コマンドをアンテナ４を介し無線タグ回路素子Ｔoへ送信する。このスロットカウント減算コマンドは、各無線タグ回路素子Ｔoが応答信号を送信する識別スロットのタイミングを計るためのスロットカウント値Ｓ（後述の図７参照）の値を１だけ減算させるよう指令するコマンドである。ステップＳ１２０が完了したら、ステップＳ１１０に戻り、同様の識別スロット１つ分の受信制御を繰り返す。
【００７９】
一方、ステップＳ１１５において、全ての識別スロットに対して受信制御を行った場合、判定が満たされステップＳ１２５に移る。
【００８０】
ステップＳ１２５では、受信した全ての応答信号が正常であるか否か、すなわち１つの識別スロットで同時に複数の無線タグ回路素子Ｔoからの応答信号が衝突・混信していないか、又は各応答信号の受信に失敗していないか否かを判定する。受信した応答信号のうち一つでも正常と認められないものがある場合、判定が満たされず、ステップＳ１０５へ戻りあらためて応答要求コマンドを送信し無線タグ回路素子Ｔoの探索をやり直す。一方、受信した応答信号が全て正常であると認められた場合、判定が満たされ、このルーチンを終了する。
【００８１】
図７は、図４に示した無線タグ回路素子Ｔoが備える制御部１５７によって実行される制御手順を表すフローチャートである。この図７において、無線タグ回路素子Ｔoが初期化コマンド（詳細な説明を省略する）を受信してその初期信号により無線電力が与えられるとともに制御部１５７が初期化されると無線タグ回路素子Ｔoが起動し、このフローが開始される。
【００８２】
まず、ステップＳ２０５で無線タグ回路素子Ｔoが起動した直後にアンテナ１５１で受信したタグラベル作成装置１のアンテナ４からの応答要求コマンドの命令内容を解釈するよう受信制御する。このとき、応答要求コマンドに含まれるスロット数指定値Ｑをメモリ部１５５に記憶させる。
【００８３】
次にステップＳ２１０へ移り、上記ステップＳ２０５でメモリ部１５５に記憶されたスロット数指定値Ｑに基づいて０から２Ｑ−１までの乱数を乱数発生器１５８により発生させ、その値をカウント値とする。このカウント値は０から識別スロット数Ｍまで間の値となり、これによって当該無線タグ回路素子Ｔoが応答信号を送信する識別スロットが決定される。
【００８４】
次にステップＳ２１５へ移り、カウント値が０であるか否かを判定する。カウント値が０でない場合、判定が満たされず、すなわちまだ応答信号を送信すべき識別スロットに達していないとみなされて次のステップＳ２２０へ移る。
【００８５】
ステップＳ２２０では、図６のフローのステップＳ１１５におけるカウント減算コマンドをアンテナ１５１を介し受信したか否かを判定し、受信するまでその時点の識別スロットの間受信制御を繰り返す。カウント減算コマンドを受信した場合、判定が満たされて、次のステップＳ２２５へ移り、カウント値を１減算してステップＳ２１５へ戻り同様の手順を繰り返す。
【００８６】
また一方、上記ステップＳ２１５においてカウント値が０となっている場合、判定が満たされ、すなわち当該無線タグ回路素子Ｔoが応答信号を送信すべき識別スロットに達したとみなされて次のステップＳ２３０へ移り、メモリ部１５５に記憶されていた当該無線タグ回路素子ＴoのタグＩＤを含む応答信号を変復調部１５６で生成させ所定のタイミングでアンテナ１５１を介し返信してこのフローを終了する。
【００８７】
図８は、上記図６の制御手順を行うタグラベル作成装置１と上記図７の制御手順を行うＮ個の無線タグ回路素子Ｔoの間で送受される信号のタイムチャートの一例を表す図である。この図８において、図中左側から右側に向かって時系列変化するものとし、タグラベル作成装置１が応答要求コマンド又はカウント減算コマンドを送信してから無線タグ回路素子Ｔoの応答信号の受信が１組になって各識別スロットが形成されている。
【００８８】
まず最初に、この例では、タグラベル作成装置１から応答要求コマンドが送信された直後に乱数によってスロットカウント値が０に生成された無線タグ回路素子Ｔo１が識別スロット１で応答信号を送信する。そしてタグラベル作成装置１がその応答信号を受信した後に、カウント減算コマンドを送信することで各無線タグ回路素子Ｔoがそれを受信してそれぞれのスロットカウント値を１減算する。その時点でカウント値が０となった無線タグ回路素子Ｔoが次の識別スロット２で応答信号を送信する。図示の例のようにスロットカウント値が０になった無線タグが無い場合は当該識別スロットでの返信はない。タグラベル作成装置１が識別スロット終了後に、またスロットカウント減算コマンドを送信して識別スロット２が終了する。
【００８９】
以上のような手順を繰り返すことにより、Ｎ個全ての無線タグ回路素子Ｔoの応答信号をＭ個の識別スロットで受信することができる。ここで、タグラベル作成装置１側で用意する識別スロットの数Ｍが通信対象の無線タグ回路素子Ｔoの個数Ｎより大きく設定されていれば、各無線タグ回路素子Ｔoのカウント値が乱数により発生されているために、それぞれの無線タグ回路素子Ｔoが応答信号を送信する識別スロットがＭ個分の識別スロットに渡って均等かつ一意的に分布することが期待できる。このようにしてＮ個全ての無線タグ回路素子Ｔoの応答信号を通信条件に基いてスロット数を設定することにより通信時間を無駄に長くすることなく受信することができる。また、タグラベル作成装置１側で用意する識別スロットの数Ｍが通信対象の無線タグ回路素子Ｔoの個数Ｎに対して必要以上に大きくせず適度な値に設定すれば、探索処理全体の時間を短くすることができ、効率のよい通信を行うことができる。なお混信が生じた場合には、探索処理を最初からやり直すようにすればよい（図６のステップＳ１２５参照）。
【００９０】
以上において、高周波回路５の送信部２１２及びアンテナ４が、指令生成手段で生成した探索指令を前記無線タグ回路素子に送信可能な送信手段を構成し、高周波回路５の受信部２１３及びアンテナ４が、指令生成手段で生成され送信手段から送信された探索指令に応じて複数の無線タグ回路素子から複数の識別スロットに区分して返信された応答信号を、該複数の識別スロットに対応して受信可能な受信手段を構成する。
【００９１】
また、制御回路９の実行する、上記図５のフローにおけるステップＳ１０の手順が、装置側アンテナ４及び高周波回路５の識別スロットの数Ｍを、センサ８の検出結果に基づいて設定するスロット数設定手段として機能する。
【００９２】
以上のように構成した本実施形態においては、上記図５のフローにおけるステップＳ１０の手順により、識別スロットの数Ｍが、センサ８により得られるカートリッジ１００の被検出部１０３の識別子１０３Ａ〜Ｄの検出結果（図５のフローにおけるステップＳ５）に応じて可変に設定される。これにより、通信対象とする無線タグ回路素子Ｔoの数が多くなるようなタグテープ１０１を備えたカートリッジ１００である場合には識別スロット数Ｍを多くする一方、通信対象とする無線タグ回路素子Ｔoの数が少なくなるようなタグテープ１０１を備えたカートリッジ１００である場合には識別スロット数Ｍを少なくすることが可能となる。したがって、本来必要な数以上に識別スロット数Ｍが多く無駄に通信時間が長くなることを防止し、なるべく通信時間を短くして効率のよい通信を行うことができる。
【００９３】
また、この実施形態では特に、上記図５のフローにおけるステップＳ１０の手順で、センサ８の検出結果に基づき取得したタグテープ１０１の無線タグ回路素子Ｔoに関するタグ属性パラメータに基づき、識別スロットの数Ｍを設定することにより、例えば、無線タグ回路素子Ｔoのタグテープ１０１における配置間隔、無線タグ回路素子Ｔoの感度、タグ媒体の幅方向における無線タグ回路素子Ｔoの配置個数等のパラメータデータに応じ、通信対象とする無線タグ回路素子Ｔoの数が多くなるパラメータデータの場合（＝無線タグ回路素子Ｔoの配置間隔が小さい場合、無線タグ回路素子Ｔoの感度が高い場合等）には識別スロット数Ｍを多くする一方、通信対象とする無線タグ回路素子Ｔoの数が少なくなるようなパラメータデータの場合（＝無線タグ回路素子Ｔoの配置間隔が大きい場合、無線タグ回路素子Ｔoの感度が低い場合等）には識別スロット数Ｍを少なくし、効率のよい通信を行うことができる。
【００９４】
また、この実施形態では特に、操作者が作業を開始しようとして装置の電源を投入する都度、又は、カートリッジ１００を新たに取り付けたり交換したりした都度、上記図５のフローが実行され、そのステップＳ１０で適正な識別スロット数Ｍが設定されるので、効率的な通信の実現を確実に図ることができる。
【００９５】
また、この実施形態では特に、タグテープ１０１に所定の印字を行い、印字付きの無線タグラベルＴを作成するための印字ヘッド３を有していることにより、情報送受信を行った無線タグ回路素子Ｔoを備えるとともに所定の印字を備えた無線タグラベルＴを作成することができる。
【００９６】
なお、本発明は、上記に限られるものではなく、その趣旨及び技術思想を逸脱しない範囲で種々の変形が可能である。以下、そのような変形例を順を追って説明する。
【００９７】
（１）識別スロットの数をデータベースから取得する場合
上記実施形態では、カートリッジ１００の被検出部１０３の識別子１０３Ａ〜Ｄから検出したタグ属性パラメータに基づいて制御回路９が識別スロットの数Ｍを設定していたが、本発明はこれに限られず、例えばカートリッジ１００の被検出部１０３の識別子１０３Ａ〜Ｄからはカートリッジ１００の識別情報だけを検出し、データベースからこのカートリッジ１００の識別情報に関連付けて記憶されている識別スロット数Ｍを取得するようにしてもよい。
【００９８】
図９は、本変形例のタグラベル作成装置の概略構造を表す概念的構成図であり、上記実施形態における図１に対応する図である。なお、上記実施形態におけるタグラベル作成装置の構成（図１参照）と同等の部分については同じ符号を付して適宜説明を省略する（以下、各変形例における図１２、図１４、図１６に対しても同様とする）。
【００９９】
図９において、本変形例のタグラベル作成装置２１は、ハードディスク装置などの大記憶容量型の記憶装置で構成されるデータベース（相関記憶手段；図中ではＤＢと省略）２２が、制御回路９と情報信号を送受可能に接続されている。そしてカートリッジ１００の被検出部１０３における識別子１０３Ａ〜Ｄ（図３参照）は、それらの凹凸の有無によって、カートリッジ１００そのものの個体を特定できる製造番号や種類を特定できる型番などの識別情報を表している。なお、このカートリッジ１００の識別情報は、カートリッジ１００の内部に備えられるタグテープロール１０２の種類に対応する情報となっている。
【０１００】
図１０は、カートリッジ１００の識別情報と識別スロット数Ｍとの対応を管理するスロット数テーブルの一例を概念的に表す図である。このスロット数テーブルは、上記データベース２２に格納保持される情報であり、図１０に示すようにカートリッジ１００の識別情報の一つである型番（図示する例では００１〜０１０）と、カートリッジ１００の内部に備えられているタグテープロール１０２の種類に対応して適切とされる識別スロット数Ｍ、スロット数指定値Ｑとが、予めそれぞれ対応付けられた相関情報の形で記憶されている。
【０１０１】
そしてこれら型番と識別スロット数Ｍとの相関は、全てタグラベル作成装置２１における装置側アンテナ４の通信条件が共通（同一）であることを前提とした上で、それぞれの型番（タグテープロール１０２の種類）に対応するタグ属性パラメータ（無線タグ回路素子Ｔoの配置間隔や感度など）の違いに応じた適切な識別スロット数Ｍが予め設定され関連付けられている。
【０１０２】
図１１は、本変形例においてタグラベル作成装置２１の制御回路９が実行する制御手順を表すフローチャートであり、上記実施形態における図５に相当する図である。この図１１のフローは概略的には図５のフローとほぼ同じであり、基本的には図５のフローにおけるステップＳ５に代えてステップＳ５Ａを行い、またステップＳ１０に代えてステップＳ１０Ａを行う点で異なっている。以下、上記の相違する手順について説明する。
【０１０３】
図１１において、このフローが開始されると、まずステップＳ５Ａにおいて、センサ８によりカートリッジ１００の被検出部１０３の識別子１０３Ａ〜Ｄからカートリッジ１００の識別情報である型番を検出する。
【０１０４】
次にステップＳ１０Ａへ移り、上記ステップＳ５Ａで検出したカートリッジ１００の型番に基づいてデータベース２２のスロット数テーブルから対応する識別スロット数Ｍを取得し、スロット数指定値Ｑを設定する。他の手順については、図５と同様であり、説明を省略する。また、他の探索処理や無線タグ回路素子ＴoのＩＣ回路部が行う制御手順についてもそれぞれ図６、図７と同様であるので説明を省略する。
【０１０５】
以上において、上記図１１のフローにおけるステップＳ１０Ａの手順が、装置側アンテナ４及び高周波回路５の識別スロットの数Ｍを、センサ８の検出結果に基づいて設定するスロット数設定手段として機能する。
【０１０６】
以上のように構成した本変形例においては、カートリッジ１００の種類や個体ごとに、予め最適な識別スロットの数Ｍを相関としてデータベース２２に保持しておき、カートリッジ１００をカートリッジホルダ２に設置したときにデータベース２２から当該カートリッジ１００に対応した識別スロット数Ｍを読み出してその識別スロット数Ｍとなるように上記図１１のフローにおけるステップＳ１０Ａの手順で設定する。この結果、多種多様なカートリッジ１００を用いる場合であっても、これに応じて、確実に各カートリッジ１００の無線タグ回路素子Ｔoに対して効率のよい通信を行うことができる。また、タグラベル作成装置１の構成が変化したり、アンテナの構成が変化したりしてアクセスエリアが変化した場合にはデータベース２２のスロット数テーブルを更新するだけで対応できる。
【０１０７】
なお、本変形例ではデータベース２２にカートリッジ１００の識別情報と対応して識別スロット数Ｍを記憶させていたが、これに限られずに、例えばデータベース２２にカートリッジ１００の識別情報と対応させてタグ属性パラメータを記憶させておき、制御回路９はデータベース２２からそれらタグ属性パラメータを取得してそれらに基づき適切な識別スロット数Ｍを設定するようにしてもよい。
【０１０８】
（２）装置側アンテナのアクセスエリアにタグテープロールが含まれる場合
上記実施形態では、装置側アンテナ４のアクセスエリアＡ１が、タグラベル作成装置１の内部でカートリッジ１００から繰り出された後のタグテープ１０１の搬送経路を包含する範囲に形成されていたが、装置が小型化された場合には例えばタグテープロール１０２も併せて包含する範囲に形成されるような場合もありうる。本変形例はそのような場合に対応するものである。
【０１０９】
図１２は、本変形例のタグラベル作成装置の概略構造を表す概念的構成図であり、上記実施形態における図１に対応する図である。この図１２において、上記実施形態の図１とは装置側アンテナ４のアクセスエリアが異なっており、本変形例におけるアクセスエリアＡ２は、図示しないタグラベル作成装置１の各機器・構成要素やタグテープ搬送路の実際の形状・配置位置関係やシールド部材の有無等の状態に基づき、タグラベル作成装置３１の内部でカートリッジ１００から繰り出された後のタグテープ１０１の搬送経路全体とタグテープロール１０２全体とを併せて包含する範囲に形成されるようになっている（図１２中には破線で概念的に表示）。
【０１１０】
装置側アンテナ４のアクセスエリアＡ２が上記図示した範囲に形成される本変形例においては、アクセスエリアＡ２内にタグテープロール１０２が含まれ、当初はロール１０２に備えられるすべての無線タグ回路素子Ｔoが応答する。しかしながら、無線タグ回路素子Ｔoが１つずつ消費され無線タグラベルＴが順次作成完了し、カートリッジ１００内に残った無線タグ回路素子数（＝残量関連情報）が減少するのに対応して、アクセスエリアＡ２内に存在する通信対象の無線タグ回路素子Ｔoの個数が減少することになるため、それに応じて識別スロット数Ｍも適切に減少変化させるようにする。
【０１１１】
図１３は、本変形例においてタグラベル作成装置３１の制御回路９が実行する制御手順を表すフローチャートであり、上記実施形態における図５に相当する図である。この図１３のフローは概略的に図５のフローとほぼ同じであり、基本的には図５のフローにおけるステップＳ３０からステップＳ１００へ戻る途中にステップＳ３５の手順が追加された点で異なっている。以下、上記の相違する手順について説明する。
【０１１２】
図１３において、ステップＳ３０の判定で終了指示がなされていない場合には、判定が満たされず、ステップＳ３５へ移る。ステップＳ３０では、識別スロットの数Ｍを設定する基準となっていたそれまでの通信対象の無線タグ回路素子Ｔoの個数を一つ（無線タグラベルＴとして作成排出された分）だけ減らしてまた新たに識別スロット数Ｍを設定する。このステップＳ３５における識別スロット数Ｍの設定は、ステップＳ１０での設定のようにタグ属性パラメータを考慮する必要はなく、単純にそれまでの通信対象の無線タグ回路素子Ｔoの個数を１つだけ減らし、所定数まで減少したらこれに対応して識別スロット数Ｍを減少させる。本実施例においてはスロット数Ｍはスロット数指定値Ｑにより関係付けられており、スロット数Ｍは６３、３１、１５、７、、、と段階的に減少させていく。そしてステップＳ１００に戻り、同様の手順を繰り返す。他の手順については、図５と同様であり、説明を省略する。
【０１１３】
以上において、上記図１３のフローにおけるステップＳ１０及びステップＳ３５の手順が、装置側アンテナ４及び高周波回路５の識別スロットの数Ｍを、センサ８の検出結果に基づいて設定するスロット数設定手段として機能する。
【０１１４】
以上のように構成した本変形例においては、無線タグラベルＴを順次作成してカートリッジ１００に残存する無線タグ回路素子Ｔoの数が減った場合、通信対象となりうる無線タグ回路素子Ｔoが少なくなることから、これに応じて識別スロットの数Ｍを少なく設定することにより、さらに効率のよい通信を行うことができる。
【０１１５】
なお、本変形例においては、一つのカートリッジ１００に対してその内部の無線タグ回路素子Ｔoを使い切る前にカートリッジ１００を交換する場合を考慮すると、通信対象の無線タグ回路素子Ｔoの減少に応じてセンサ８からの検出結果も順次変化させる必要があるため、カートリッジ１００の被検出部１０３は情報の書き換えが可能な無線タグ回路素子とし、センサ８に代えて装置側にアンテナを設け、このアンテナを介し無線タグ回路素子に対して無線通信により情報の読みとり（＝検出）及び書き込みを行うようにしてもよい。また、図示を省略するが、タグテープ１０１に残数を印刷しておき、これを検出してもよい。または本変形例に上記第１変形例を適用して、データベース２２にカートリッジ１００の個体製造番号と識別スロット数Ｍとの対応を管理するスロット数テーブルを格納保持させ、無線タグラベルＴが順次作成完了され残量情報が変動するのに対応して識別スロット数Ｍを減少させるよう書き換えるようにしてもよい。これらの書き換えは、ステップＳ３５において行えばよい。また、これらの場合には、ステップＳ３５の手順の後にステップＳ１５へ戻るようにすればよい。
【０１１６】
（３）装置側アンテナのアクセスエリア内にスタッカが設けられる場合
タグラベル作成装置の内部でカートリッジ１００から繰り出された後のタグテープ１０１の搬送経路全体を包含するように位置する装置側アンテナ４のアクセスエリア内に、完成後の無線タグラベルＴが排出貯留されるスタッカが設けられる場合もある。本変形例はそのような場合に対応するものである。
【０１１７】
図１４は、本変形例のタグラベル作成装置の概略構造を表す概念的構成図であり、上記実施形態における図１に対応する図である。この図１４において、本変形例のタグラベル作成装置４１は、作成した無線タグラベルＴを排出する排出口１０の下方に排出した無線タグラベルＴを貯留するスタッカ（貯留手段）４２が設けられている。そして本変形例においても上記実施形態の図１とは装置側アンテナ４のアクセスエリアが異なっており、本変形例におけるアクセスエリアＡ３は、図示しないタグラベル作成装置１の各機器・構成要素やタグテープ搬送路の実際の形状・配置位置関係やシールド部材の有無等の状態に基づき、タグラベル作成装置４１の内部でカートリッジ１００から繰り出された後のタグテープ１０１の搬送経路全体とスタッカ４２全体とを併せて包含する範囲に形成されるようになっている（図１４中には破線で概念的に表示）。
【０１１８】
装置側アンテナ４のアクセスエリアＡ３が上記図示した範囲に形成される本変形例においては、ラベル作成開始当初はスタッカ４２内に無線タグラベルＴが存在しないため、カートリッジ１００外のタグテープ１０１の搬送経路に位置する無線タグ回路素子Ｔoのみが応答する。しかしながら、無線タグ回路素子Ｔoが１つずつ消費され無線タグラベルＴが順次作成完了する都度、スタッカ４２に積載貯留される無線タグラベルＴの無線タグ回路素子数（＝残量関連情報）が増大することになるため、それに応じて識別スロット数Ｍも適切に増加変化させるようにする。
【０１１９】
図１５は、本変形例においてタグラベル作成装置４１の制御回路９が実行する制御手順を表すフローチャートであり、上記第２変形例における図１３に相当する図である。この図１５のフローは概略的に図１３のフローとほぼ同じであり、基本的には図１３のフローにおけるステップＳ１５に代えてステップＳ１５Ａを行い、またステップＳ３５に代えてステップＳ３５Ａを行う点で異なっている。以下、上記の相違する手順について説明する。
【０１２０】
図１５において、ステップＳ１００の探索処理で装置側アンテナ４のアクセスエリアＡ３内に存在する通信対象の無線タグ回路素子ＴoのタグＩＤを取得した後、ステップＳ１５Ａへ移り、上記ステップＳ１００の探索処理で取得した複数のタグＩＤのうちで次に作成する無線タグラベルＴに対応するタグＩＤの無線回路素子Ｔoに対して記録すべき情報を生成して次のステップＳ２０へ移る。
【０１２１】
また、ステップＳ３０の判定で終了指示がなされていない場合には、判定が満たされず、ステップＳ３５Ａへ移る。ステップＳ３５Ａでは、識別スロットの数Ｍを設定する基準となっていたそれまでの通信対象の無線タグ回路素子Ｔoの個数を一つ（カートリッジ１００から新たに繰り出された分）だけ増やしてまた新たに識別スロット数Ｍを設定する。なお、このステップＳ３５Ａにおける識別スロット数Ｍの設定は、ステップＳ１０での設定と同様にタグ属性パラメータを考慮するようにしてもよい。そしてステップＳ１００に戻り、同様の手順を繰り返す。他の手順については、図１３と同様であり、説明を省略する。
【０１２２】
以上において、上記図１５のフローにおけるステップＳ１０及びステップＳ３５Ａの手順が、装置側アンテナ４及び高周波回路５の識別スロットの数Ｍを、センサ８の検出結果に基づいて設定するスロット数設定手段として機能する。
【０１２３】
以上のようにした本変形例においては、無線タグラベルＴが順次作成されてスタッカ４２に順次貯留されるときに、その貯留された状態において通信対象となりうる無線タグ回路素子Ｔoが多くなるのに応じて識別スロットの数Ｍを多くすることにより、無線タグ回路素子Ｔoからの応答信号の混信を避けることができる。
【０１２４】
（４）通信履歴に基づいて識別スロット数を補正する場合
上記実施形態では、識別スロット数Ｍをタグ属性パラメータのみに基づいて設定していたが、本発明はこれに限られず、例えば過去の通信履歴に基づいて上記識別スロット数Ｍを補正するように設定してもよい。
【０１２５】
図１６は、本変形例のタグラベル作成装置の概略構造を表す概念的構成図であり、上記実施形態における図１に対応する図である。図１６において、本変形例のタグラベル作成装置５１は、制御回路９に上記第１変形例と同等のデータベース（履歴記憶手段）２２が接続されている（カートリッジ１００の被検出部１０３の識別子１０３Ａ〜Ｄは、上記実施形態と同様にタグ属性パラメータを表している）。そして、本変形例におけるアクセスエリアＡ４は、図示しないタグラベル作成装置１の各機器・構成要素やタグテープ搬送路の実際の形状・配置位置関係やシールド部材の有無等の状態に基づき、タグラベル作成装置５１の内部ではカートリッジ１００から繰り出された後のタグテープ１０１の搬送経路全体とタグラベル作成装置５１の外部にまで到達し、この例ではタグラベル作成装置５１の近傍に位置しているファイルバインダ５２に貼付された（この例では２個の）無線タグラベルＴまで併せて包含する範囲に形成されるようになっている（図１６中には破線で概念的に表示）。
【０１２６】
装置側アンテナ４のアクセスエリアＡ４が上記図示した範囲に形成される本変形例においては、アクセスエリアＡ４内に存在する通信対象の無線タグ回路素子Ｔoの個数が、タグ属性パラメータに基づいて期待される個数分より常に定数個分（図示する例では２個分）だけ多くなることから、通信履歴に基づいてその定数個分に対応して識別スロット数Ｍを補正して設定するようにする。
【０１２７】
図１７は、本変形例においてタグラベル作成装置５１の制御回路９が実行する探索処理の詳細手順を表すフローチャートであり、上記実施形態における図６に相当する図である。この図１７のフローは概略的に図６のフローとほぼ同じであり、基本的は図６のフローにおいて最初に行うステップＳ１０３を追加し、ステップＳ１２５からステップＳ１０５へ戻る途中にステップＳ１３０及びステップＳ１３５を追加し、このフローを終了する直前にステップＳ１４０を追加した点で異なっている。以下、上記の相違する手順について説明する。
【０１２８】
図１７において、最初にステップＳ１０３で補正変数Ｈを過去の通信履歴としてデータベース２２に記憶され読み出された履歴値Ｈo（後述のステップＳ１４０参照）にしてから上記ステップＳ１０５に相当するステップＳ１０５′へ移る。そしてステップＳ１０５′で、図５中のステップ１０で設定された識別スロット数Ｍに、さらに上記Ｈoを加味した（たとえば単純に加えた数等）識別スロット数Ｍで応答要求コマンドを生成して送信し、前述と同様のステップＳ１１０、ステップＳ１１５、ステップＳ１２０を経て、ステップＳ１２５へ移る。そして、ステップＳ１２５での前述の判定においてそれまでの探索で受信した全ての応答信号が正常ではない場合、すなわちいずれか１つの識別スロットで複数の応答信号が衝突・混信した場合、判定が満たされず、つまり通信対象の無線タグ回路素子Ｔoの個数に対し、設定された識別スロット数Ｍが不足しているとみなされてステップＳ１３０へ移り、通信対象の無線タグ回路素子Ｔo一つ分に必要な数の識別スロットをそれまでの識別スロット数Ｍに追加補正するよう再設定する。そして、次のステップＳ１３５で補正変数Ｈを１増加させた後、ステップＳ１０５へ戻り、同様の手順を繰り返す。一方、ステップＳ１２５の判定において、それまでの探索で受信した全ての応答信号が正常であった場合、判定が満たされ、ステップＳ１４０へ移り、この時点での補正変数Ｈの値Ｈoを上記履歴値（受信履歴情報）としてデータベース２２に記録する。
【０１２９】
以上において、図１７におけるステップＳ１０３及びステップＳ１３０の手順が、装置側アンテナ４及び高周波回路５の識別スロットの数Ｍを、センサ８の検出結果に基づいて設定するスロット数設定手段として機能する。
【０１３０】
以上のようにした本変形例においては、データベース２２に記憶された過去の応答信号の通信履歴値Ｈoを補正変数として用いて識別スロットの数Ｍを設定することにより、図１６に示すような無線タグラベルＴ作成状況とは関係のない装置の外部環境要因（この例ではファイル５２の無線タグラベルＴの存在）や装置内部の通信結果等の別の要因等が、応答信号の数に影響を与えているような場合、その影響を通信履歴値Ｈｏより予め把握し、これを加味した識別スロット数Ｍの設定を行うことができる。この結果、このような通信履歴を参照しない場合に比べ、無線タグ回路素子Ｔoからの応答信号の混信を避けることができる。
【０１３１】
（５）その他
また、以上においては、移動中のタグテープ１０１に対して無線タグ情報の書き込み・読み取りや印字を行う例を示したが、これに限られず、タグテープ１０１等を所定位置で停止させて（さらに読み取り・書き込みについては所定の搬送ガイドにて保持した状態としてもよい）上記印字や読み取り・書き込みを行うようにしてもよい。
【０１３２】
また、以上において、印字及び無線タグ回路素子Ｔoへのアクセス（読み取り又は書き込み）の終了したタグテープ１０１をカッタ６で切断して無線タグラベルＴを作成した場合を例にとって説明したが、これに限られない。すなわち、無線タグラベルに対応した所定の大きさに予め分離されたラベル台紙（いわゆるダイカットラベル）がロールから繰り出されるテープ上に連続配置されているような場合には、カッタ６で切断しなくても、テープが排出口から排出されてきた後にラベル台紙（アクセス済みの無線タグ回路素子Ｔoが備えられかつ対応する印字がなされたもの）のみをテープから剥がして無線タグラベルを作成しても良く、本発明はこのようなものに対しても適用できる。
【０１３３】
また、以上においては、タグテープ１０１の表面に直接印字を行う方式（貼りあわせを行わないタイプ）であったが、これに限られず、前述したように無線タグ回路素子Ｔoを備えたタグテープ１０１とは別のタグテープ１０１に貼り合せる被印字媒体（カバーフィルム）に印字を行ってこれらを貼り合わせる方式に本発明を適用してもよい。さらに、無線タグ回路素子ＴoのＩＣ回路部１５１から無線タグ情報の読み出し又は書き込みを行うと共に、印字ヘッド３によってその無線タグ回路素子Ｔoを識別するための印刷を行うものにも限られない。この印刷は必ずしも行われなくともよく、無線タグ情報の読み出し又は書き込みのみを行うものに対し本発明を適用することもできる。
【０１３４】
さらに、以上は、タグテープ１０１がリール部材の周りに巻回されてタグテープロール１０２を構成し、カートリッジ１００内にそのタグテープロール１０２が配置されてタグテープ１０１が繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベル作成装置１側のカートリッジホルダ２に装着して、上記収納部から移送、搬送して印字及び書き込みを行い無線タグラベルを作成するようにしてもよい。
【０１３５】
さらには上記タグテープロール１０２を直接タグラベル作成装置１側に着脱可能に装着する構成や、長尺平紙状あるいは短冊状のテープやシートをタグラベル装置２外より１枚ずつ所定のフィーダ機構によって移送しタグラベル装置２内へ供給する構成も考えられ、さらにはカートリッジ１００のようなタグラベル作成装置１本体側に着脱可能なものにも限られず、装置本体側に着脱不能のいわゆる据え付け型あるいは一体型としてロールを設けることも考えられる。この場合にはロールに被検出部を設ければ同様の効果を得る。
【０１３６】
なお、以上で用いた「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１３７】
また、以上既に述べた以外にも、上記実施形態や各変形例による手法を適宜組み合わせて利用しても良い。
【０１３８】
その他、一々例示はしないが、本発明は、その趣旨を逸脱しない範囲内において、種々の変更が加えられて実施されるものである。
【図面の簡単な説明】
【０１３９】
【図１】本発明の実施形態のタグラベル作成装置の概略構造を表す概念的構成図である。
【図２】タグラベル作成装置における制御回路、高周波回路、及び装置側アンテナの詳細構成を表す機能ブロック図である。
【図３】センサの構成の一例を表す説明図である。
【図４】無線タグラベルに備えられた無線タグ回路素子の機能的構成の一例を表すブロック図である。
【図５】実施形態においてタグラベル作成装置の制御回路により実行される制御手順を表すフローチャートである。
【図６】図５中のステップＳ１００において実行される探索処理の詳細手順を表すフローチャートである。
【図７】無線タグ回路素子が備える制御部によって実行される制御手順を表すフローチャートである。
【図８】図６の制御手順を行うタグラベル作成装置と図７の制御手順を行うＮ個の無線タグ回路素子の間で送受される信号のタイムチャートの一例を表す図である。
【図９】識別スロットの数をデータベースから取得する変形例におけるタグラベル作成装置の概略構造を表す概念的構成図である。
【図１０】カートリッジの識別情報と識別スロット数との対応を管理するスロット数テーブルの一例を概念的に表す図である。
【図１１】識別スロットの数をデータベースから取得する変形例においてタグラベル作成装置の制御回路が実行する制御手順を表すフローチャートである。
【図１２】アクセスエリアにタグテープロールを含める変形例のタグラベル作成装置の概略構造を表す概念的構成図である。
【図１３】アクセスエリアにタグテープロールを含める変形例においてタグラベル作成装置の制御回路が実行する制御手順を表すフローチャートである。
【図１４】アクセスエリアにスタッカを含める変形例のタグラベル作成装置の概略構造を表す概念的構成図である。
【図１５】アクセスエリアにスタッカを含める変形例においてタグラベル作成装置の制御回路が実行する制御手順を表すフローチャートである。
【図１６】通信履歴に基づいて識別スロット数を補正する変形例のタグラベル作成装置の概略構造を表す概念的構成図である。
【図１７】通信履歴に基づいて識別スロット数を補正する変形例においてタグラベル作成装置の制御回路が実行する探索処理の詳細手順を表すフローチャートである。
【符号の説明】
【０１４０】
１                タグラベル作成装置
２                カートリッジホルダ（収納体設置部）
３                印字ヘッド（印字手段）
４                装置側アンテナ（送信手段、受信手段）
５                高周波回路（送信手段、受信手段）
７                搬送装置（搬送手段）
８                センサ（検出手段）
９                制御回路
２１              タグラベル作成装置
２２              データベース（相関記憶手段、履歴記憶手段）
３１              タグラベル作成装置
４１              タグラベル作成装置
４２              スタッカ（貯留手段）
５１              タグラベル作成装置
１００            カートリッジ（無線タグ回路素子収納体、無線タグ回路素子カートリッジ）
１０１            タグテープ（タグ媒体）
１０２            タグテープロール
１０３            被検出部（被検出子、第２スロット情報保持部）
Ｔ                無線タグラベル（印字付き無線タグラベル）
Ｔo               無線タグ回路素子
Ａ１              アクセスエリア
Ａ２              アクセスエリア
Ａ３              アクセスエリア
Ａ４              アクセスエリア
【図１】
2007310664.tif 000003
【図２】
2007310664.tif 000004
【図３】
2007310664.tif 000005
【図４】
2007310664.tif 000006
【図５】
2007310664.tif 000007
【図６】
2007310664.tif 000008
【図７】
2007310664.tif 000009
【図８】
2007310664.tif 000010
【図９】
2007310664.tif 000011
【図１０】
2007310664.tif 000012
【図１１】
2007310664.tif 000013
【図１２】
2007310664.tif 000014
【図１３】
2007310664.tif 000015
【図１４】
2007310664.tif 000016
【図１５】
2007310664.tif 000017
【図１６】
2007310664.tif 000018
【図１７】
2007310664.tif 000019